(57)【要約】【課題】システムキッチンに組み込まれた電子レンジ照明ランプをネジ一本で加熱室内部から交換可能にすること。【解決手段】加熱室壁面１に開けた開口２の中央加熱室外側に雌ネジ４ｄを固定し、開口２を塞ぐ大きさで中央に小孔６ｄ及びその周囲に小孔群６ｆを持つ金属カバー６を加熱室側から雄ネジ７を小孔６ｄを貫通させて雌ネジ４ｄに勘合締結し、ソケット５に取付けられたランプ９を開口２に臨んだ位置に固定しことにより、金属カバー６は開口２を塞ぎ、雌雄ネジの締結によって両者が強く接触し、電波漏洩が防止できる。【選択図】  図１
2004232916.tif 000002
【特許請求の範囲】
【請求項１】
加熱室壁面に開けた開口と、雌雄一対の小口径ネジと、前記開口を塞ぐ大きさで中央に小孔を持つ透光性金属体と、着脱可能な照明ランプとを有し、雌ネジは開口の中央付近、照明ランプは開口に臨んだ位置、共に加熱室外部に固定し、前記透光性金属体を、中央小孔を貫通させた雄ネジにより加熱室内部側から前記固定された雌ネジに締結させた構成とした電子レンジ。
【請求項２】
開口を円形とし、透光性金属体を開口より大きな直径の円形とし、両円の同心軸上に雌雄ネジを配してなる請求項１に記載の電子レンジ。
【請求項３】
開口と透光性金属体の少なくとも一方の周囲を円錐台側面形状とし、その円錐台側面中間域における断面に等しい円形部分を他方に設けてなる請求項２に記載の電子レンジ。
【請求項４】
開口を長方形とし、長い平行辺には加熱室外側への一対の折り曲げ部を設け、短い平行辺には平面部を設け、開口と同様な長方形である透光性金属体の長い平行辺には開口と勘合するも、開口のそれより若干大きい間隔の一対の折り曲げ部を設け、短い平行辺には前記開口の平面部に当接する直線部をもうけてなる請求項１に記載の電子レンジ。
【発明の詳細な説明】
【０００１】
【発明の属する技術分野】
本発明は、システムキッチンに組み込まれる設備型電子レンジの照明ランプ交換に関するものである。
【０００２】
【従来の技術】
システムキッチンに組み込まれる設備型電子レンジに故障が発生した場合、システムから取り出し、商品を一部分解して修理する必要がある。当然修理代は高額に成らざるを得ない。そこで庫内照明ランプの如き、寿命が短かく、かつ原因対策が明白であり、使用者自身でも取り扱い可能な部品はシステムから取り出さずに簡単に、加熱室側から交換できる構造にする事が望まれていた。従来、この種のアイデアとしては大別して３種類の方式がある。第一の方式は、加熱室壁面の一部を円形に切り取り、内部は小孔群による透光構造とした円筒と前記壁面の円とを、ネジで勘合させて着脱自在とし、ランプを加熱室外の円形範囲内に固定したものである。（例えば、特許文献１参照）。
【０００３】
第二には、加熱室壁面にカットオフ導波管を設け、ランプはその導波管内部に固定し、加熱室壁面の導波管入り口はガラス等の透明材で着脱自在に塞ぐ方式である。（例えば、特許文献２参照）。
【０００４】
第三方式は、ランプ自体を加熱室内部に臨ませ、電波による障害を許容限度内に抑える方策を施し、ランプをガラス等の透光材で覆う方式である。（例えば、特許文献２参照）。
【０００５】
【特許文献１】
特開昭５６―５７２９４号公報
【特許文献２】
実開昭６３―１９１０４号公報
【特許文献３】
実開昭６３―１６３７２０号公報
【０００６】
【発明が解決しようとする課題】
しかしながらこれら従来例には種々の課題が存在した。まず、全ての例に共通する課題は、着脱自在の透光材が固着して取り外せなくなる事である。３例共に着脱手段として大口径のネジを採用した実施例を紹介しているが、電子レンジの加熱室内部で長期間使用すると、食品から飛散する油分などが付着し、加熱による温度上昇と放置中の温度下降の繰り返しによりネジ部に油が浸入し、乾燥してしまうのである。特に電気ヒーターを搭載したオーブンレンジでは固着が早期に進行する。その為、大口径のネジを断念し、複数本のネジで周囲を固定する例も市場では見受けられる。こうなると使用者がランプ交換の後にネジの幾本かを締め忘れる危険が生じる。
【０００７】
次に第一及び第二の例の課題として、照明光量の不足がある。特に前記第二例ではカットオフ導波管の性質上、口径が小さいほどランプに到達する電波の量が少なくなるから、必然的に開口は小口径とならざるを得ない。その結果ランプの発する光量の大部分が加熱室に照射されなくなってしまう。第一の例では大口径化は原理的に支障は無いが、先述の課題の為に、制限が加わるのである。
【０００８】
本発明は、前記従来の課題を解決するもので、透光性着脱自在な大口径壁面部材を、固着する事なく、一つのネジで使用者が着脱できる電子レンジを提供することを目的とする。
【０００９】
【課題を解決するための手段】
前記従来の課題を解決するために、本発明の電子レンジは、加熱室壁面に開けた開口と、雌雄一対の小口径ネジと、前記開口を塞ぐ大きさで中央に小孔を持つ透光性金属体と、ソケット等に取付けられた着脱可能な照明ランプとを有し、雌ネジは開口の中央付近、照明ランプは開口に臨んだ位置、共に加熱室外側に固定し、前記透光性金属体を、中央小孔を貫通させた雄ネジにより加熱室内部側から前記固定された雌ネジに締結させたものである。
【００１０】
これによって、開口中央加熱室外部に固定された雌ネジに透光性金属体中央の小孔を貫通させた雄ネジを締結させるので、透光性金属体は加熱室壁の開口を塞ぐ大きさであって、かつ雌雄一対の小口径ネジにより両者の中央が一致するから、その結果透光性金属体は加熱室壁の開口を塞ぎ、両者の電気的接触状況に応じて電波漏洩を防止する。加熱室側から雄ネジを緩めれば透光性金属体を取り外す事ができ、ソケットに取付けられ開口に臨んだ位置に配置さられた照明ランプを加熱室内部から交換できる。先述課題たる固着は、雌雄ネジが小口径である為万一油などがこびりついても回転は容易であり、しかも油が伝い落ちる加熱室壁面からは最も遠い位置である開口中央に位置しているので、大幅に軽減される。第二の課題たる開口面積の拡大は電波漏洩の許容範囲において幾らでも可能である。
【００１１】
【発明の実施の形態】
請求項１に記載の発明は、加熱室壁面に開けた開口と、雌雄一対の小口径ネジと、前記開口を塞ぐ大きさで中央に小孔を持つ透光性金属体と、ソケット等に取付けられた着脱可能な照明ランプとを有し、雌ネジは開口の中央付近、照明ランプは開口に臨んだ位置、共に加熱室外側に固定し、前記透光性金属体を、中央小孔を貫通させた雄ネジにより加熱室内部側から前記固定された雌ネジに締結させたものである。
【００１２】
これによって、開口中央加熱室外部に固定された雌ネジに透光性金属体中央の小孔を貫通させた雄ネジを締結させるので、透光性金属体は加熱室壁の開口を塞ぐ大きさであって、かつ雌雄一対の小口径ネジにより両者の中央が一致するから、その結果透光性金属体は加熱室壁の開口を塞ぎ、両者の電気的接触状況に応じて電波漏洩を防止する。加熱室側から雄ネジを緩めれば透光性金属体を取り外す事ができ、ソケットに取付けられ開口に臨んだ位置に配置さられた照明ランプを加熱室内部から交換できる。先述課題たる固着は、雌雄ネジが小口径である為万一油などがこびりついても回転は容易であり、しかも油が伝い落ちる加熱室壁面からは最も遠い位置である開口中央に位置しているので、大幅に軽減される。第二の課題たる開口面積の拡大は電波漏洩の許容範囲において、幾らでも可能である。
【００１３】
請求項２に記載の発明は、特に、請求項１に記載の電子レンジの開口を円形とし、透光性金属体を開口より大きな直径の円形とし、両円の同心軸上に雌雄ネジを配することにより、ネジの締結によって両円が同心状態となり、開口と透光性金属体との周囲が均一に接触する事が期待できる。不均一接触の場合には接触が不十分な部分から電波が漏洩するが、全周均一接触であればネジを強く締結するに従って電波漏洩が減少する。
【００１４】
請求項３に記載の発明は、特に請求項２に記載の電子レンジの開口と透光性金属体の少なくとも一方の周囲を円錐台側面形状とし、その円錐台側面中間域における断面に等しい円形部分を他方に設けることにより、使用者がランプ交換後、無造作に透光性金属体を取付けて両者の中心がずれている場合でも、雌雄一対のネジを締め付けるに従って開口と透光性金属体とが徐々に同心に近づき、電波漏洩が減少する。
【００１５】
請求項４に記載の発明は、特に、請求項１に記載の電子レンジの開口を長方形とし、長い平行辺には加熱室外側への一対の折り曲げ部を設け、短い平行辺には一対の平面部を設け、開口と同様な長方形である透光性金属体の長い平行辺には開口と勘合するも、開口のそれより若干大きい間隔の一対の折り曲げ部を設け、短い平行辺には前記開口の平面部に当接する一対の直線部をもうけたことにより、雌雄一対のネジを強く締め付けていくと、開口の短い平行辺周囲の一対の平面部に透光性金属体の短い平行辺周囲の一対の直線部が当接し、その間長い平行辺では、透光性金属体に設けた折り曲げ部の方が若干大きい間隔であるから、両者の折り曲げ部は密着する。その結果、短い平行辺では平面と直線の当接により、長い平行辺では折り曲げ部相互の密着により、共に十分な電気接続が成されるので、電波漏洩が防止される。
【００１６】
【実施例】
以下本発明の実施例について、図面を参照しながら説明する。
【００１７】
（実施例１）
図１は、本発明の第１の実施例における電子レンジ加熱室壁面の三面図を示すものであり、（ａ）は正面図、（ｂ）は下から見た半断面分解の平面図、（ｃ）は右から断面図である。図１（ａ）において、二点鎖線で外形を描いた加熱室壁面１には、同じく二点鎖線で描いた直径９０ｍｍ程度の円形の開口２が開けられる。この開口２の周囲には開口中心に対して６０度回転対象位置に６個の小孔１ａが開けられる。図１（ｂ）において、加熱室壁面１を挟み、下側には前記小孔１ａに対応する位置に同程度の小孔３ａを開けた薄い板金製の円筒形反射鏡３を設け、上側には同じく１ａに対応する位置に溶接ボルト４ａが固定された厚めの板金製開口周縁板４が設けられ、図には描かれてないナットを溶接ボルト４ａに用いて締め付け、両側から壁面１をサンドイッチする。
【００１８】
反射鏡３は周縁付きの円筒容器形状であり、周縁部に前述の小孔３ａが開けられ、内面はクロームメッキ等の光沢処理が施される。円筒の側面にはランプソケット５が固定される。開口周縁板４は前記６個の溶接ボルトの内側には、図の下方向（加熱室の外側方向）に頂点を有する円錐台側面形状部４ｂを設ける。この円錐台側面形状４ｂは図の上側の面に設けられる。これと対向する同一形状である周辺６ａを有する薄い板金製の金属カバー６は、周辺６ａの内側は球面部６ｂ、さらにその内側は円錐台形状の凹部６ｃを有し、これらの同心となる中心に直径４ｍｍの小孔６ｄを開ける。この小孔６ｄを貫通する呼び径４ｍｍの雄ネジ７は周囲にローレットを刻んだ直径１５ｍｍの薄い厚さの頭部７ａと、その直下の受け部７ｂとネジ部７ｃとから成る。硼珪酸ガラス製の透明カバー８は球面形状を有するほぼ均一厚で外形は円である。
【００１９】
図１（ｃ）において、ランプソケット５にはランプ９が取付けられ、透明カバー８の上端には凹部８ａが設けられ、ここに前記金属カバー６の周辺６ａの、さらに先端に設けられた爪６ｅが折り曲げ勘合される。透明カバー８と金属カバー６とは接触し、雄ネジ７の頭部７ａは凹部６ｃと透明カバー８との間の空間に位置する。ネジ部７ｃが締結勘合しているのは開口周縁板４の橋部４ｃ中央に設けられた呼び径４ｍｍの雌ネジ４ｄである。
【００２０】
図１（ａ）に戻り、この橋部４ｃは左右に延びる帯状であり、両端は円錐台側面形状部４ｂにつながる。金属カバー６の球面部６ｂには小孔群６ｆが設けられる。図には相互関係を明確にする目的で右半分しか描いてないが、小孔群６ｆは左右対称配列されている。爪６ｅは１２０度回転対称位置に都合３個設けられる。この正面図には、混乱を避ける為、透明カバー８は描いてない。
【００２１】
図２は透明カバー８の正面図である。二点鎖線で描いた爪６ｅに対応して切り欠き部８ｂが設けられ、その左に前述の凹部８ａがある。凹部８ａの右端、切り欠き部８ｂに臨む部分には突起８ｃが設けられる。これら８ａ、８ｂ、８ｃは１２０度回転対称位置にも設けられる。
【００２２】
以上のように構成された電子レンジについて、以下にその動作、作用を説明する。
【００２３】
まず、加熱室壁面１の開口２には、加熱室側に開口周縁板４、外側には反射鏡３が設けられ、溶接ボルト４ａにより両側からサンドイッチされる。反射鏡３は薄い板金製であるが、周縁付き円筒形状であるから円筒側面に裏打ちされて周縁部分は十分な平面度が得られ、開口２と開口周縁板４との電気接続は十分なものとなる。この開口周縁板４の中央部に位置する雌ネジ４ｃに、雄ネジ７のネジ部７ｃを、金属カバー６の中央に開けた小孔６ｄを貫通させた状態で勘合、締め付けると、開口周縁板４の円錐台側面形状部４ｂに、これと同一形状である周辺６ａが当たる。両者共に円錐台形状であるから、両者の中心が当初多少ずれていても、ネジを強く締めるに伴い中心が一致し、両円錐台は強く接触する。
【００２４】
次に図２に示す様に、三つの爪６ｅと三箇所の切り欠き８ｂとを一致させて金属カバー６に透明カバー８を取付け、突起８ｃを乗り越えて時計方向に回転させ、両者を固定させる。この状態で、ランプ９の光は反射鏡３内面で反射され、金属カバーの小孔群６ｆを通過し、加熱室内部を照明する。開口周縁板４の橋部４ｃが遮光する分だけ照明の総量が低下する。金属カバー６により電波が遮断され、ランプ９には到達しない。また透明カバー８は金属カバー６に接しているので、加熱室内部に食品が無い状態で通電されるいわゆる空焼き時にもあまり強い電界に曝されない。
【００２５】
突起８ｃを乗り越え、透明カバー８を反時計方向に回転させ、取り外し、雄ネジ７の頭部７ａを指でつまんで回転させ、雄ネジ７を緩めれば雌ネジ４ｃから離脱でき、金属カバー６が取り外せる。ランプ９は橋部４ｃと円錐台側面形状部４ｂとの間に位置しているので指で取り外し、交換可能である。交換後は逆の作業を行って再び組み立てることが出来る。ネジ一本であるから、作業が容易であると共に、ネジ忘れの可能性が低い。従って使用者にランプ交換を委ねる事が可能となる。
【００２６】
以上のように、本実施例においては開口２、反射鏡３、開口周縁板４、金属カバー６及び透明カバー８を全て同心円とし、開口周縁板４と反射鏡３とで開口２をサンドイッチする事で電気接続させ、金属カバー６の周囲とこれと対向する開口周縁板４とに円錐台形状を施し、加熱室の外側で円の中心軸上に雌ネジ４ｃを固定し、金属カバー６の中心に開けた小孔６ｄを貫通させた雄ネジ７を勘合締結させ、金属カバー６の表面に透明カバー８を着脱自在に取り付けたものであり、それによりネジ一本で使用者にも容易にかつ安全にランプ交換ができる。
【００２７】
また、本実施例では、薄い板金製の金属カバー６に球面形状を採用したので、雄ネジを強く締め付けた時でも変形し難く、開口周縁板との強固な電気接触が期待できる。さらにこの対向部分を両者共に円錐台形状としたが、一方を円錐台の側面に当接する寸法の円形にしても面と線との接触が期待できる。
【００２８】
また、本実施例の雌ネジ４ｃを、例えば反射鏡３に固定すれば、橋部４ｃが省略でき、照明光量が増大する。
【００２９】
（実施例２）
図３は、本発明の第２の実施例の電子レンジ加熱室壁面の三面図を示すものであり、図３（ａ）は正面図、図３（ｂ）は下から見た平面図、同（ｃ）は右側面から見た断面図である。図４は第２の実施例の開口周縁板４の三面図、図４（ａ）は正面図、同（ｂ）は平面図、同（ｃ）は側面図、図５は同じく第２の実施例の金属カバー６の三面図であり、図５（ａ）は正面図、同（ｂ）は平面図、同（ｃ）は側面図である。実施例１の構成と異なるところは開口２が長方形であり、これに伴って開口周縁板４、金属カバー６、透明カバー８が基本的に長方形となった点である。その為開口周縁板４と金属カバー６との接触機構が変化し、開口周縁板４の長い辺には相対する平行面４ｂを設け、短い辺には特に何も設けず、溶接ボルト４ａが取付けられた面の平面度を確保するにとどめる。これに対応して金属カバー６は長い辺に相対する平行面６ａを設ける。両平行面の寸法は、４ｂより６ａを若干大きな値とする。金属カバーの短い辺にはコの字型の折り曲げ部６ｇを設け、その先に爪６ｅを設ける。さらに折り曲げ部６ｇの一方（図では上側）にＵ字形状のスリット６ｈを開け、その上方側面やや厚い金属製の小片１０を溶接する。なお、実施例１と同一符号のものは同一構造を有し、説明は省略する。
【００３０】
まず、開口周縁板４と金属カバー６の互いの長い辺を一致させた状態で、雄ネジ７を金属カバー６の中央に開けられた小孔６ｄを貫通させ開口周縁板４に設けられた雌ネジ４ｃに勘合させると、金属カバー６の一対の平行面６ａが、開口周縁板４に設けられた若干狭い寸法の平行面ｂに圧入し、小孔群６ｆの面は上が凸の状態で多少湾曲する。雄ネジ７を回転させるに伴い折り曲げ部６ｇが開口周縁板４に当たり、さらに強くねじると両者がより強く接触する。つまり両者の平行面は湾曲した小孔群６ｆ面が平らになろうとする動きにより平行面は左右に広がり、開口周縁板４の平行面４ｂを強く押す。一方、折り曲げ部６ｇと開口周縁板４周縁とは直接力が加わる為に接触が強まる。また小片１０に指で力を加えれば爪６ｅの角度が変化し、透明カバー８の金属カバー６への取付けが容易になる。
【００３１】
以上のように、本実施例に置いては、長い平行辺には加熱室外側への一対の折り曲げ部を設け、短い平行辺には一対の平面部を設け、開口と同様な長方形である透光性金属体の長い平行辺には開口と勘合するも、開口のそれより若干大きい間隔の一対の折り曲げ部を設け、短い平行辺には前記開口の平面部に当接する一対の直線部をもうけたことにより、雌雄一対のネジを強く締め付けていくと、開口の短い平行辺周囲の一対の平面部に透光性金属体の短い平行辺周囲の一対の直線部が当接し、その間長い平行辺では、透光性金属体に設けた折り曲げ部の方が若干大きい間隔であるから、両者の折り曲げ部は密着する。その結果、短い平行辺では平面と直線の当接により、長い平行辺では折り曲げ部相互の密着により、共に十分な電気接続が成される。
【００３２】
なお金属カバーと開口周縁板との接触部分は良好な電気接続が望ましいが、当業者に良く知られる如く、薄い絶縁層が存在しても両者の対向面積を適当な広さに拡大すればキャパシテイブシール、静電容量による高周波結合が期待でき、電波漏洩を防止できる。
【００３３】
【発明の効果】
以上のように、請求項１〜４に記載の発明によれば、ネジ一本で金属カバーを着脱でき、使用者でも容易にランプ交換ができる電子レンジを提供可能となる。
【図面の簡単な説明】
【図１】（ａ）本発明の実施例１における電子レンジ加熱室壁面の正面図
（ｂ）本発明の実施例１における電子レンジ加熱室壁面の平面図
（ｃ）本発明の実施例１における電子レンジ加熱室壁面の断面図
【図２】本発明の実施例１における透明カバーの正面図
【図３】（ａ）本発明の実施例２における電子レンジ加熱室壁面の正面図
（ｂ）本発明の実施例２における電子レンジ加熱室壁面の平面図
（ｃ）本発明の実施例２における電子レンジ加熱室壁面の側面図
【図４】（ａ）本発明の実施例２における開口周縁板の正面図
（ｂ）本発明の実施例２における開口周縁板の平面図
（ｃ）本発明の実施例２における開口周縁板の側面図
【図５】（ａ）本発明の実施例２における金属カバーの正面図
（ｂ）本発明の実施例２における金属カバーの平面図
（ｃ）本発明の実施例２における金属カバーの側面図
【符号の説明】
１  加熱室壁面
２  開口
４  開口周縁板（開口）
４ｄ  雌ネジ
５  ソケット
６  金属カバー（透光性金属体）
６ｄ  小孔（透光性金属体中央）
７  雄ネジ
９  ランプ
【図１】
2004232916.tif 000003
【図２】
2004232916.tif 000004
【図３】
2004232916.tif 000005
【図４】
2004232916.tif 000006
【図５】
2004232916.tif 000007